(57)【要約】【課題】容易に設置でき、かつ、能動的に作動可能なスプリンクラーヘッドを提供する。【解決手段】ライン部に連通しスプリンクラー液が流出する流出開口部を閉鎖するための閉鎖体５と、導電材料で構成された支持体６を介してライン部に接続された当接部７と、当接部７と閉鎖体５との間において、熱的要因の作用によって閉鎖体５による流出開口部の閉鎖を解除させる熱トリガー要素８と、熱トリガー要素８を解除させるための解除手段とを具備する。解除手段は、チップおよび電池11が設けられた回路基板10と、熱トリガー要素に設けられ電気抵抗を有する導電層９とを有する。そして、制御装置により電池11からの電流を、支持体６、当接部７、導電層９および閉鎖体５に流すことで、導電層９の電気抵抗に基づき能動的に熱トリガー要素８を加熱し、閉鎖体５の閉鎖を解除可能である。【選択図】図１
2019055194.tif 000002
【特許請求の範囲】
【請求項１】
能動的に作動可能なスプリンクラー装置に用いられるスプリンクラーヘッドにおいて、
スプリンクラー装置のスプリンクラー液の供給ラインに接続されるライン部と、
ライン部に連通しスプリンクラー液が流出する流出開口部と、
導電材料にて構成されシールと協働して流出開口部を密閉し閉鎖するための閉鎖体と、
導電材料で構成された支持体と、
この支持体を介してライン部に接続され、導電材料で構成され支持体と互いに電気伝導的に接続された当接部と、
当接部と閉鎖体との間において、通常時には閉鎖体がシールと協働して流出開口部を閉鎖するように配置され、熱的な要因が作用することによって閉鎖体による流出開口部の閉鎖を解除させる熱トリガー要素と、
熱トリガー要素を能動的に熱的要因の作用によって解除させるための解除手段とを具備し、
解除手段は、制御装置および電気エネルギー供給手段が設けられた電気回路基板と、熱トリガー要素に沿って設けられ電気抵抗を有する電気伝導路とを有し、
電気回路基板は、その上面および下面のうちの一方が閉鎖体に電気的に接触し、上面および下面のうちの他方が支持体に電気的に接触するように配置され、
当接部および閉鎖体は、熱トリガー要素に設けられた電気伝導路とそれぞれ電気的に接続するように配置され、
電気回路基板の制御装置により電気エネルギー供給手段からの電流を、支持体、当接部、電気伝導路および閉鎖体に流すことで、電気伝導路の電気抵抗に基づき能動的に熱トリガー要素を加熱可能であり、その加熱によって熱トリガー要素により閉鎖体の閉鎖を解除可能である
ことを特徴とするスプリンクラーヘッド。
【請求項２】
電気回路基板には、制御装置のデジタル遠隔ステーションとの無線通信用の通信インターフェースが設けられている
ことを特徴とする請求項１記載のスプリンクラーヘッド。
【請求項３】
熱トリガー要素は、解除液が充填されたガラス容器であり、
電気伝導路は、ガラス容器の外側面に設けられた導電層または導電性を有するパッキン、および、ガラス容器内に設けられた電気導体の少なくとも一方を有する
ことを特徴とする請求項１または２記載のスプリンクラーヘッド。
【請求項４】
電気回路基板は、閉鎖体および支持体と電気的に接触する接触部を有する
ことを特徴とする請求項１ないし３いずれか一記載のスプリンクラーヘッド。
【請求項５】
熱トリガー要素の状態を確認するために、制御装置によって、状態確認のための測定電流が支持体、当接部、電気伝導路および閉鎖体によって構成される電流回路を導通するように制御可能である
ことを特徴とする請求項１ないし４いずれか一記載のスプリンクラーヘッド。
【請求項６】
スプリンクラー液を分配するためのバッフル板および分配板の少なくとも一方を具備する
ことを特徴とする請求項１ないし５いずれか一記載のスプリンクラーヘッド。
【請求項７】
電気回路基板は、流出されるスプリンクラー液の分配を妨げない大きさおよび形状である
ことを特徴とする請求項１ないし６いずれか一記載のスプリンクラーヘッド。
【請求項８】
支持体と閉鎖体との間に配置され、支持体に接触する箇所、および、閉鎖体に接触する箇所のうちの少なくとも一方に電気絶縁部が設けられたばね部材を具備する
ことを特徴とする請求項１ないし７いずれか一記載のスプリンクラーヘッド。
【発明の詳細な説明】
【技術分野】
【０００１】
本発明は、スプリンクラー装置に用いられるスプリンクラーヘッドに関する。
【背景技術】
【０００２】
スプリンクラー装置は、建物の中での防火あるいは消防のために用いられる。そのようなスプリンクラー装置は、ある程度の圧力が掛かった状態でスプリンクラー液を貯留する貯蔵容器と、貯蔵容器に接続されたラインあるいはパイプシステムとを有し、これらラインまたはパイプシステムは、スプリンクラー装置の適用空間における天井領域に設けられ、天井にてスプリンクラーヘッドに接続される供給ラインまたは供給パイプを有している。
【０００３】
スプリンクラー装置に適用されるスプリンクラーヘッドには、通常時には閉塞され、スプリンクラー液を流出させる際に開通されるバルブが設けられている。
【０００４】
また、通常、スプリンクラーヘッドは、加圧状態で流出されるスプリンクラー液を弾くように広い範囲に拡散させるバッフル板および分配板を有している。
【０００５】
スプリンクラーヘッドのバルブは、通常、熱トリガー要素によって閉鎖されたまま保持され、熱トリガー要素は、その補強のために設置された当接部とバルブの閉鎖体との間に配置されている。
【０００６】
そして、通常はバルブおよび熱トリガー要素によって、スプリンクラー液の流出が閉じられたままに保持される。また、火により加熱された場合、熱トリガー要素は、熱トリガー要素が作動し閉鎖体が閉鎖状態が解除される作動温度まで加熱され、それぞれのバルブが開放され、スプリンクラー液の流出が解除される。
【０００７】
通常の熱トリガー要素としては、可溶体から成る保護体、特に、解除液とともにガス泡が充填されたガラス樽とも呼ばれるガラスアンプルが適用される。
【０００８】
熱トリガー要素は、加熱の際、ガラスアンプル内の解除液がその膨張により内部に圧力を発生させ、その内部圧力によってガラスの壁を破裂させて破壊されることによって作動する。
【０００９】
上述した作動原則は受動的に機能する。つまりスプリンクラーヘッドは、正確に言えばスプリンクラーヘッドに配置された熱トリガー要素は、火災の発生によって生じる周囲温度の上昇に基づいて作動する。
【００１０】
しかし、スプリンクラー装置やその熱トリガー要素としては、能動的にも作動する構成のものが知られている。すなわち、火災または火元の検出の際、スプリンクラーヘッドが火元の周囲領域で熱トリガー要素の能動的作動により開放され、スプリンクラー液が流出される構成が知られている。
【００１１】
例えば特許文献１ないし特許文献３には、例えば電気的な熱トリガー要素の加熱により能動的に作動させる構成、特に遠隔制御により作動させる構成が記載されている。
【００１２】
このようにスプリンクラーヘッドを能動的に作動させる構成は、防火や消火のためにきわめて有効である。
【先行技術文献】
【特許文献】
【００１３】
【特許文献１】独国特許出願公開第１００５６７７８号明細書
【特許文献２】独国特許出願公開第１００５６７７９号明細書
【特許文献３】独国特許出願公開第１０２００５００１７１７号明細書
【発明の概要】
【発明が解決しようとする課題】
【００１４】
しかしながら、上述の従来のシステムでは、一方で外部からの電気供給に基づき作動し、もう一方では上位レベルの制御装置への有線接続に基づき作動するものであるため、いずれにしてもケーブル配線による外部設備との接続を要するという問題がある。このようなケーブル配線を要する場合には、スプリンクラー装置の設備のみではなく、供給ラインおよび交信ラインを別途敷設する必要がある。
【００１５】
また、能動的に作動する既成のスプリンクラーシステムへの後付け可能な構成では、供給ラインや交信ラインの敷設により、作業が煩雑化する問題が考えられる。
【００１６】
そのため、例えば既成のスプリンクラー装置にも複雑なケーブル配線を要さずに取り付ける等にて容易に設置でき、かつ、能動的に作動可能なスプリンクラーヘッドが求められていた。
【００１７】
本発明はこのような点に鑑みなされたもので、容易に設置でき、かつ、能動的に作動可能なスプリンクラーヘッドを提供することを目的とする。
【課題を解決するための手段】
【００１８】
請求項１に記載されたスプリンクラーヘッドは、能動的に作動可能なスプリンクラー装置に用いられるスプリンクラーヘッドにおいて、スプリンクラー装置のスプリンクラー液の供給ラインに接続されるライン部と、ライン部に連通しスプリンクラー液が流出する流出開口部と、導電材料にて構成されシールと協働して流出開口部を密閉し閉鎖するための閉鎖体と、導電材料で構成された支持体と、この支持体を介してライン部に接続され、導電材料で構成され支持体と互いに電気伝導的に接続された当接部と、当接部と閉鎖体との間において、通常時には閉鎖体がシールと協働して流出開口部を閉鎖するように配置され、熱的な要因が作用することによって閉鎖体による流出開口部の閉鎖を解除させる熱トリガー要素と、熱トリガー要素を能動的に熱的要因の作用によって解除させるための解除手段とを具備し、解除手段は、制御装置および電気エネルギー供給手段が設けられた電気回路基板と、熱トリガー要素に設けられ電気抵抗を有する電気伝導路とを有し、電気回路基板は、その上面および下面のうちの一方が閉鎖体に電気的に接触し、上面および下面のうちの他方が支持体に電気的に接触するように配置され、当接部および閉鎖体は、熱トリガー要素に沿って設けられた電気伝導路とそれぞれ電気的に接続するように配置され、電気回路基板の制御装置により電気エネルギー供給手段からの電流を、支持体、当接部、電気伝導路および閉鎖体に流すことで、電気伝導路の電気抵抗に基づき能動的に熱トリガー要素を加熱可能であり、その加熱によって熱トリガー要素により閉鎖体の閉鎖を解除可能であるものである。
【００１９】
請求項２に記載されたスプリンクラーヘッドは、請求項１記載のスプリンクラーヘッドにおいて、電気回路基板には、制御装置のデジタル遠隔ステーションとの無線通信用の通信インターフェースが設けられているものである。
【００２０】
請求項３に記載されたスプリンクラーヘッドは、請求項１または２記載のスプリンクラーヘッドにおいて、熱トリガー要素は、解除液が充填されたガラス容器であり、電気伝導路は、ガラス容器の外側面に設けられた導電層または導電性を有するパッキン、および、ガラス容器内に設けられた電気導体の少なくとも一方を有するものである。
【００２１】
請求項４に記載されたスプリンクラーヘッドは、請求項１ないし３いずれか一記載のスプリンクラーヘッドにおいて、電気回路基板は、閉鎖体および支持体と電気的に接触する接触部を有するものである。
【００２２】
請求項５に記載されたスプリンクラーヘッドは、請求項１ないし４いずれか一記載のスプリンクラーヘッドにおいて、熱トリガー要素の状態を確認するために、制御装置によって、状態確認のための測定電流が支持体、当接部、電気伝導路および閉鎖体によって構成される電流回路を導通するように制御可能であるものである。
【００２３】
請求項６に記載されたスプリンクラーヘッドは、請求項１ないし５いずれか一記載のスプリンクラーヘッドにおいて、スプリンクラー液を分配するためのバッフル板および分配板の少なくとも一方を具備するものである。
【００２４】
請求項７に記載されたスプリンクラーヘッドは、請求項１ないし６いずれか一記載のスプリンクラーヘッドにおいて、電気回路基板は、流出されるスプリンクラー液の分配を妨げない大きさおよび形状であるものである。
【００２５】
請求項８に記載されたスプリンクラーヘッドは、請求項１ないし７いずれか一記載のスプリンクラーヘッドにおいて、支持体と閉鎖体との間に配置され、支持体に接触する箇所、および、閉鎖体に接触する箇所のうちの少なくとも一方に電気絶縁部が設けられたばね部材を具備するものである。
【発明の効果】
【００２６】
本発明によれば、電気回路基板の上面および下面のうちの一方が閉鎖体に電気的に接触し、電気回路基板の上面および下面のうちの他方が支持体と電気的に接触し、当接部および閉鎖体それぞれが熱トリガー要素に沿って設けられた電気伝導路と電気的に接続しているため、容易に設置でき、かつ、能動的に作動可能である。
【図面の簡単な説明】
【００２７】
【図１】本発明の第１の実施の形態に係るスプリンクラーヘッドを概略的に示す側面図である。
【図２】図１におけるＡ−Ａ断面図である。
【図３】図２における領域Ｂの拡大図である。
【図４】図３における領域Ｃの拡大図である。
【図５】本発明の第２の実施の形態に係るスプリンクラーヘッドを概略的に示す側面図である。
【図６】図５における領域Ｄの拡大図である。
【発明を実施するための形態】
【００２８】
以下、本発明の第１の実施の形態の構成について図１ないし図４を参照しながら詳細に説明する。
【００２９】
図１ないし図４に示すスプリンクラーヘッド１は、一体的にボディが成形され、そのボディの一方側である下側にはスプリンクラー液用のライン部２が形成され、他方である上方には支持体６が設けられ、支持体６の上方には当接部７が設けられている。
【００３０】
ライン部２は、略円筒状であり、そのライン部２の軸方向の一端側には、対応するスプリンクラー菅の端部内、または、スプリンクラーラインのライン端部内に設けられた雌螺子に螺合される雄螺子部３が設けられている。
【００３１】
また、ライン部２の軸方向の他端部には、スプリンクラー液を放出可能な流出開口部４が設けられている。
【００３２】
この流出開口部４は、スプリンクラーヘッド１がスプリンクラー菅あるいはスプリンクラーラインに接続された状態において、後述するシール要素と協働する閉鎖体５によって、ライン部２中のスプリンクラー液が噴出しないように密閉して閉鎖される。
【００３３】
閉鎖体５は、通常時には、軸方向において当接部７と閉鎖体５との間に挟持された熱トリガー要素８により、流出開口部４を密閉した位置に配置された閉鎖状態が保持される。
【００３４】
なお、熱トリガー要素８は、例えば熱トリガー液が充填されて閉鎖されたガラス容器である。このようなガラス容器は、一般的な構造のいわゆるガラスアンプルである。
【００３５】
ガラス容器である熱トリガー要素８には、その表面に塗布され、ガラスアンプルの形の熱トリガー要素８の長手方向全域に亘って形成された電気伝導路としての導電層９が設けられる。
【００３６】
また、支持体６およびその中に挿入され当接部７は、導電材料である導電性金属で形成され、当接部７は、これらの両方の構成要素の間に電気的な接続が生じるように、支持体６に螺合される。
【００３７】
閉鎖体５も同様に導電材料である導電性金属にて形成されている。
【００３８】
なお、支持体６は、スプリンクラーヘッド１において構造的に分離した部品、または分離可能な部品である必要はなく、例えばライン部２やライン部２を構成する側壁に一体的に設けられた構成にしてもよく、ライン部２を構成する側壁も支持体６の一部とみなすことができる。
【００３９】
また、当接部７と支持体６とが一体的に形成された構成にしてもよい。
【００４０】
支持体６および閉鎖体５は、例えば真鍮、銅、鋼鉄または伝導性の他の金属にて形成された構成にしてもよい。
【００４１】
図３に示すように、支持体６は、ライン部２および流出開口部４を構成する側壁と閉鎖体５との間に設けられたばね部材としての皿ばね15を有している。
【００４２】
すなわち、熱トリガー要素８の長さの変化が生じた場合であっても、スプリンクラーヘッド１の機能を損なわないように、閉鎖体５が皿ばね15を介して保持されている。
【００４３】
そして、所定の力で当接部７を軸方向に押圧することにより、ガラス容器である熱トリガー要素８へ印加可能である。
【００４４】
さらに例えばテフロン層（テフロンは登録商標である。）のような非導電性のシール材料にて構成された層が皿ばね15に設けられることで、その皿ばね15は、流出開口部４において、閉鎖体５で閉鎖されるライン部２の密閉に役立つ。
【００４５】
また、コーティングされた皿ばね15は、その中間層が電気絶縁層であるため、機械的接続に伴って支持体６に対する閉鎖体５の電気絶縁作用を奏するが、この電気絶縁作用は、後述のように本実施の形態における本質的な意味がある。
【００４６】
スプリンクラーヘッド１は、その構成要素として、例えば通常の回路板やＰＣＢ（プリント基板）で形成可能な電気回路基板である回路基板10を備え、この回路基板10は、制御装置としてのチップ12、および、電気エネルギー供給手段としての電池11を有している。
【００４７】
図４が示すように、回路基板10は、その上側および下側にそれぞれ接触部14を有している。また、回路基板10は、一の接触部14によって閉鎖体５と電気的に接触し、他の接触部14によって支持体６と電気的に接触している。
【００４８】
接触部14は、回路基板10上に形成された図示しない導体トラックと接続され、チップ12によって切替可能で電池11によって供給される電圧が、導体トラックを介して印加される。また、互いに対向する接触部14の間に印加された電圧により、電流が支持体６、当接部７、導電層９および閉鎖体５に亘って流れる。この電流は、導電層９の抵抗によってガラス容器形の熱トリガー要素８が作動温度以上まで加熱され、熱トリガー要素８による閉鎖体５の保持が開放（熱的解除）されるほどの加熱を導くように、チップ12によって選択可能である。つまり、ガラス容器に、解除液を介して生成された内部からの圧力によってひび割れ等の状態の変化が生じることによって、皿ばね15の付勢力によって閉鎖体５が上方へ移動し、閉鎖体５による流出開口部４の閉鎖状態が解除され、流出開口部４が開放されて、スプリンクラー液用の流路が外部に解放される。するとスプリンクラー液は、公知の方法でスプリンクラー液をより広い範囲へ拡散させるように分配する分配手段であるバッフル板および分配板13に衝突する。したがって、電流が実際に導電層９によっても熱トリガー要素８上に流れるように、中間にある皿ばね15の領域の閉鎖体５と支持体６との間の電気絶縁が重要である。なお、このような電気絶縁作用がないと、導電性接続を介して短絡が生じると考えられる。
【００４９】
このように、スプリンクラーヘッド１では、上述したとおり電流回路を介して所定値の電流である解除電流が導電層９によってガラス容器（熱トリガー要素８）上に伝導され、電流が流れることによって、導電層９の電気抵抗に伴って熱トリガー要素８が加熱され、その加熱によって導かれる解除要素である熱トリガー要素８による能動的な解除、すなわち、熱トリガー要素８の状態が変化することによる閉鎖体５の閉鎖状態での保持の解除を、チップ12によって制御でき、自立的に熱トリガー要素８によって、能動的な閉鎖体５の閉鎖状態の解除を促すことができる。
【００５０】
また、チップ12は、図示しない無線通信のためのインターフェースと接続され、より好ましくは双方向に、遠隔ステーションとデータ交換を行う構成が好ましい。チップ12は、この無線通信インターフェースを介して例えば解除命令を受信でき、この解除命令の受信に伴って、上述のように電流を切り替えて、熱トリガー要素８の状態変化に伴う閉鎖体５の閉鎖状態を解除させることで、スプリンクラーヘッド１を作動させる。
【００５１】
また、熱トリガー要素８の状態についての情報、例えば熱トリガー要素８が無傷の通常状態であるか、または熱トリガー要素８による閉鎖体５の閉鎖状態の保持が解除されているか、または場合によっては損傷しているかを確認するために、チップ12によって、熱トリガー要素８が作動する電流値未満である検出電流または測定電流を状態確認のために上述の電流回路を介して流すことが可能な構成が好ましい。
【００５２】
また、チップ12は、このような電流によって得られた測定結果を、図示しない無線通信インターフェースを介して上位のシステムに提供できる。
【００５３】
同様に、チップ12は、電池11の中に貯蔵された電気エネルギーが臨界閾値を下回った場合に、電池11の交換を促すための信号を送る構成にしてもよい。
【００５４】
次に上記第１の実施の形態の作用および効果を説明する。
【００５５】
上記スプリンクラーヘッド１によれば、スプリンウラーヘッド１自体の構成部材によって熱トリガー要素８を作動させる電流回路が構成されるため、能動的に作動できない既存のスプリンクラー装置への後付けに際して、別途で電気供給ラインや電気通信ライン（回路基板10が無線通信インターフェースを備えている場合）を敷設する必要がなく、容易に設置可能である。
【００５６】
すなわち、回路基板10がスプリンクラーヘッド１自体に配置された電気エネルギー供給手段としての電池11を有することにより、外部からの電気供給から独立して自立的に使用可能である。そのため、例えば電気供給ライン等を新しく敷設せずに既成のスプリンクラー装置に後付可能である。なお、電気エネルギー供給手段としては、電池11だけでなく、例えばアキュムレータ等の電気エネルギーを貯蓄して供給できるものであればよい。
【００５７】
また、スプリンクラーヘッド１は、コンパクトなユニットとして簡単に構成でき、それぞれのスプリンクラーヘッド１の能動的作動とともに消火あるいは火元周辺の空間のスプリンクラー液の予防的導入のための付加的機能を提供するシステムへの適用にも好適である。なお、スプリンクラーヘッド１の受動的作動も阻害されない。すなわち、スプリンクラーヘッド１は、従来のように受動的に作動する機能を奏する。つまり、設置空間における周囲温度が、臨界温度、例えば熱トリガー要素８の解除温度以上の温度になると、この温度上昇により熱トリガー要素８が解除されるため、ライン部２の流出開口部４が開放され、スプリンクラーヘッド１に接続されたスプリンクラーラインから供給されるスプリンクラー液が噴射される。
【００５８】
スプリンクラーヘッド１は、熱トリガー要素８によって能動的に閉鎖体５の閉鎖を解除させるために電流回路が独自のケーブルを必要とせず、スプリンクラーヘッド１の電導要素および回路基板10上の相応のトラックのみによって構成されることによって、構造を簡略化できる。そのため、スプリンクラーヘッド１の簡単で非常に頑丈な構造をもたらし、その結果、製造コストを抑えることができるだけではなく、使用期間が長い場合であっても、エラーや不具合の発生を抑制でき、メンテナンスの頻度を少なくできる。なお、スプリンクラーヘッド１が能動的に作動可能な状態を維持するには、回路基板10上の電池11に、熱による解除が機能するために充分な程度の電気エネルギーが貯蓄されていることを保証するのみでよい。
【００５９】
回路基板10上にデジタル遠隔ステーションとの無線通信用の通信インターフェースが設けられた構成にすることで、スプリンクラーヘッド１の遠隔操作による能動的な作動を制御するための上位システムに組み入れることが可能になる。このような通信インターフェースとしては、例えば無線ＬＡＮに対応したインターフェース、または、モバイル技術（例えばＵＭＴＳやＬＴＥ）を用いることができ、また、火災警報産業等からの標準化された伝送プロトコルを介する通信用のインターフェースを適用してもよい。そのような無線通信インターフェースを適用することで、スプリンクラーヘッド１をデータラインまたはバスラインの観点で配線なしで上位消火システムに組み入れることができる。そして、例えば、煙探知機を介して火元を検出し、中央報告局あるいは管理局を介した制御によって遠隔作動を火元周囲にあるスプリンクラーヘッド１に促すことができる無線通信システムが構築できる。
【００６０】
熱トリガー要素８は、上昇した環境温度によって受動的にも作動可能な構成であることにより、通信ができない場合や、例えば回路基板10上の電気エネルギー供給が不十分で能動的に作動できないような故障があった場合等においても、火災のために周囲の空気が加熱され、そのスプリンクラーヘッド１の周囲温度が熱トリガー要素８の作動温度を超えて上昇する際に、スプリンクラーヘッド１が受動的に作動できる。
【００６１】
回路基板10は、導体トラックとともに両側に形成され、導体トラックの上側および下側には、支持体６および閉鎖体５との間に挟持され電気接触する接触部14が設けられ、導電層９を介して熱トリガー要素８に導かれる電流回路を構成することで、回路基板10において簡単に電気的な接触を確保できるだけでなく、別途の保持手段を用いることなく、回路基板10を所定の位置に機械的に保持できる。なお、回路基板10の保持には、付加的に別途の保持手段が用いられた構成にしてもよい。
【００６２】
スプリンクラーヘッド１は、検出された電流や電圧に基づいて熱トリガー要素８の状態を推測して確認するために、チップ12が、電流回路を介して解除電流より小さい測定電流を流すように制御可能である構成にすることで、熱トリガー要素８にて閉鎖を解除したという電流の中断を検知可能である。そのため、電流の中断が検知されたスプリンクラーヘッド１の領域中の火元を示唆でき、場合によっては電流の中断が検知されたスプリンクラーヘッド１の周囲にある他のスプリンクラーヘッド１を能動的に作動するように信号をチップ12や上位システムに送信できる。また、例えば同じ印加電圧の際の電流の変化や、同じ電流の際の降圧の変化から導電層９の性質や状態の変化を推測することで、その変化に応じて例えばガラス容器のひび割れ等として評価でき、その後、故障が生じ手整備が必要である旨を示す信号をチップ12によって送ることができる。なお、このような通信は、無線通信インターフェースを介して行なう構成が好ましい。
【００６３】
スプリンクラーヘッド１は、スプリンクラー液の分配のためのバッフル板や分配板13
等の分配手段を有することにより、スプリンクラー液をより広い領域に拡散させて散布でき、より効果的に火災の予防や制圧を行なうことができる
回路基板10は、所定範囲へのスプリンクラー液の散布が阻害されない大きさや形、特に外部輪郭を有することにより、スプリンクラー液を所定の分布パターンで散布できる。
【００６４】
次に、第２の実施の形態を図５および図６を参照して説明する。なお、上記第１の実施の形態と同一の構成及び作用については、同一符号を付してその説明を省略する。
【００６５】
この第２の実施の形態は、上記第１の実施の形態に対し、回路基板10が別の方法で閉鎖体５および支持体６と電気的に接触をしている。
【００６６】
すなわち、回路基板10の上面および下面には、機械的な押圧によってもそれぞれの接触されるべき部材を押圧する接触部としての接触ばね16が配置される。
【００６７】
そのような接触ばね16の配置は、より確実な電気的接触を保証するために、必ずしも回路基板10が閉鎖体５と支持体６の間に機械的に挟持されなくともよいという利点がある。すなわち、例えば既存のスリットの中において側方へ摺動可能な構成とし、接触ばね16によって機械的停止および確実な電気的接触が得られる。例えば熱膨張等によって支持体６や閉鎖体５にある程度の位置ズレが生じたときにも、この接触ばね16によって電気的接触を維持できる。
【符号の説明】
【００６８】
１    スプリンクラーヘッド
２    ライン部
４    流出開口部
５    閉鎖体
６    支持体
７    当接部
８    熱トリガー要素
９    電気伝導路としての導電層
10    電気回路基板としての回路基板
11    電気エネルギー供給手段としての電池
12    制御装置としてのチップ
13    分配板
14    接触部
15    ばね部材としての皿ばね
16    接触部としての接触ばね
【図１】
2019055194.tif 000003
【図２】
2019055194.tif 000004
【図３】
2019055194.tif 000005
【図４】
2019055194.tif 000006
【図５】
2019055194.tif 000007
【図６】
2019055194.tif 000008